(57)【要約】描画装置（１）は、記録媒体が備えるレーベル面にレーザ光を照射することで、所望のパターンをレーベル面に描画する描画手段（１３）と、照射されるレーザ光の照射位置を記録媒体の内周方向又は外周方向に沿って、第１距離を単位として移動させる第１移動手段（１４）と、照射位置を内周方向又は外周方向に沿って、第１距離よりも短い第２距離を単位として移動させる第２移動手段（１３１）と、所望のパターンを構成する複数トラックの描画データを、少なくとも第2移動手段が照射位置を移動させる方向に応じて並び替えるための並替処理を行う並替手段（３１、３２）とを備え、描画手段は、並び替えられる描画データに基づいて、所望のパターンを描画する。
2008072341.tif 000002
【特許請求の範囲】
【請求項１】
記録媒体が備えるレーベル面にレーザ光を照射することで、所望のパターンを前記レーベル面に描画する描画手段と、
前記照射されるレーザ光の照射位置を前記記録媒体の内周方向又は外周方向に沿って、第１距離を単位として移動させる第１移動手段と、
前記照射位置を前記内周方向又は前記外周方向に沿って、前記第１距離よりも短い第２距離を単位として移動させる第２移動手段と、
前記所望のパターンを構成する複数トラックの描画データを、少なくとも前記第2移動手段が前記照射位置を移動させる方向に応じてトラック単位で並び替えるための並替処理を行う並替手段とを備え、
前記描画手段は、前記並び替えられる描画データに基づいて、前記所望のパターンを描画する
ことを特徴とする描画装置。
【請求項２】
前記第１移動手段が、前記照射位置を前記内周方向又は前記外周方向のうち何れか一方の方向に沿って移動させる場合、
前記第２移動手段が、前記照射位置を他方の方向に沿って移動させる場合においても、前記描画手段は前記所望のパターンを描画する
ことを特徴とする請求の範囲第１項に記載の描画装置。
【請求項３】
前記並替手段は、前記複数トラックのうち前記照射位置が前記第2移動手段によって前記他方の方向に沿って移動させられる場合に描画されるトラックを、前記何れか一方の方向に沿って移動させられる場合とは反対の順序で描画されるように、前記並替処理を行う
ことを特徴とする請求の範囲第２項に記載の描画装置。
【請求項４】
前記第１移動手段は多相ステッピングモータによって駆動される
ことを特徴とする請求の範囲第１項に記載の描画装置。
【請求項５】
前記並替手段は、前記第１移動手段が前記照射位置を移動させている間に、前記並替処理を行う
ことを特徴とする請求の範囲第１項に記載の描画装置。
【請求項６】
記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段とを備える描画装置における描画方法であって、
前記所望のパターンを構成する複数トラックの描画データを、少なくとも前記第2移動手段が前記照射位置を移動させる方向に応じて並び替えるための並替処理を行う並替工程と、
前記並び替えられる描画データに基づいて、前記所望のパターンを描画するように前記描画手段を制御する制御工程と
を備えることを特徴とする描画方法。
【請求項７】
記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段と、前記所望のパターンを構成する複数トラックの描画データを、少なくとも前記第2移動手段が前記照射位置を移動させる方向に応じて並び替えるための並替処理を行う並替手段とを備える描画装置に備えられたコンピュータを制御するコンピュータプログラムであって、
前記コンピュータプログラムは、前記コンピュータを、少なくとも前記並替手段として機能させることを特徴とするコンピュータプログラム。
【発明の詳細な説明】
【技術分野】
【０００１】
本発明は、例えば記録媒体のレーベル面に対して文字や図形や画像等のパターンを描画する描画装置及び方法、並びにコンピュータプログラムの技術分野に関する。
【背景技術】
【０００２】
ＣＤやＤＶＤ等の光ディスクは、大容量のデータを容易に記録することができる。このような光ディスクに記録されるデータとしては、例えば、ソフトウェア、コンピュータアプリケーション、コンピュータファイル、映像データ、音楽データ等が一具体例として挙げられる。このような光ディスクでは、データをデジタルで記憶する。より具体的には、高強度のレーザ光を用いて光ディスクの微小領域を焼く（即ち、微小領域の光学特性を変化させる）ことで、そのような各微小領域が、記録するデータに応じたピットパターンで反射性又は非反射性になるようにする。これにより、光ディスクにデータを記録することができる。【０００３】
近年、このような光ディスクにおいて、データが記録される記録面とは逆側の面であるレーベル面にユーザの所望のパターン（例えば、所望の画像や文字や図形等）を描画する行為が頻繁に行われている。典型的には、ペン等を用いて所望のパターンを描画するシンプルな行為から、インクジェットプリンタを用いて所望のパターンを描画する行為が一具体例として挙げられる。【０００４】
他方で、所望の文字や図形や画像を描画する技術として、レーベル面に色素膜等を積層し、該レーベル面（つまり、色素膜）にレーザ光を照射することで、所望のパターンをレーベル面に描画する技術が開発されている（特許文献１及び２参照）。この技術によれば、データを記録するためのハードウェア構成（具体的には、光ピックアップ等）を用いて所望のパターンをレーベル面に描画することができるため、比較的簡易に、きれいな画像や文字や図形等をレーベル面に描画することができる。【０００５】
【特許文献１】米国特許明細書第６７７１２９７号公報
【特許文献２】特開２００６−５１１０３４号公報
【発明の開示】
【発明が解決しようとする課題】
【０００６】
ところで、上述のようにレーベル面に所望のパターンを描画する技術では、描画品質を確保するために、描画時間が犠牲になる（即ち、描画時間が長期化する）おそれがある。特に、記録面とは異なりレーベル面には半径情報の目安となるトラック等が存在しないため、犠牲になる傾向が強まる。【０００７】
本発明は、例えば上述した従来の問題点に鑑みなされたものであり、レーベル面に所望のパターンを描画するにあたり、描画品質を確保しつつも、描画時間を短縮可能な描画装置及び方法、並びにコンピュータをこのような描画装置として動作させるためのコンピュータプログラムを提供することを課題とする。
【課題を解決するための手段】
【０００８】
上記課題を解決するために、本発明の描画装置は、記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段と、前記所望のパターンを構成する複数トラックの描画データを、少なくとも前記第2移動手段が前記照射位置を移動させる方向に応じて並び替えるための並替処理を行う並替手段とを備え、前記描画手段は、前記並び替えられる描画データに基づいて、前記所望のパターンを描画する。【０００９】
上記課題を解決するために、本発明の描画方法は、記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段とを備える描画装置における描画方法であって、前記所望のパターンを構成する複数トラックの描画データを、少なくとも前記第2移動手段が前記照射位置を移動させる方向に応じて並び替えるための並替処理を行う並替工程と、前記並び替えられる描画データに基づいて、前記所望のパターンを描画するように前記描画手段を制御する制御工程とを備える。【００１０】
上記課題を解決するために、本発明のコンピュータプログラムは、記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段と、前記所望のパターンを構成する複数トラックの描画データを、少なくとも前記第2移動手段が前記照射位置を移動させる方向に応じて並び替えるための並替処理を行う並替手段とを備える描画装置に備えられたコンピュータを制御するコンピュータプログラムであって、前記コンピュータプログラムは、前記コンピュータを、少なくとも前記並替手段として機能させる。【００１１】
本発明の作用及び他の利得は次に説明する実施の形態から明らかにされよう。
【図面の簡単な説明】
【００１２】
【図１】第1実施例に係る記録再生装置の基本構成を概念的に示すブロック図である。
【図２】第1実施例に係る記録再生装置の動作の対象となる光ディスクの基本構成を示す平面図である。
【図３】第1実施例に係る描画処理の流れを概念的に示すフローチャートである。
【図４】描画処理中の移動描画処理の流れを概念的に示すフローチャートである（ａ：比較例、ｂ：第１実施例）。
【図５】移動描画処理における描画位置及び順序を模式的に示す模式図である（ａ：比較例、ｂ：第１実施例）。
【図６】移動描画処理におけるアクチュエータの位置及び順序を模式的に示す模式図である（ａ：比較例、ｂ：第１実施例）。
【符号の説明】
【００１３】
１  情報記録再生装置
１１  スピンドルモータ
１２  光ピックアップユニット
１３  光ピックアップ
１４  スレッド
１５  ステッピングモータ
５１  エンコーダ
５２  エンコーダコントローラ
１６  ＯＰＵコントローラ
１７  ステッピングコントローラ
１８  スピンドルコントローラ
２１  データバス
３１  システムコントローラ
３２  メモリ
４１  表示部
４２  入力部
１００  光ディスク
１１０  データ記録層
１２０  レーベル層
１２１  特徴データ記録エリア
１２２  レーベルエリア
１２１１、１２１２、１２１３  パターン
【発明を実施するための最良の形態】
【００１４】
以下、発明を実施するための最良の形態として、本発明の描画装置及び方法、並びにコンピュータプログラムに係る実施形態の説明を進める。【００１５】
（描画装置の実施形態）
本発明の描画装置に係る実施形態は、記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段と、前記所望のパターンを構成する複数トラックの描画データを、少なくとも前記第2移動手段が前記照射位置を移動させる方向に応じて並び替えるための並替処理を行う並替手段とを備え、前記描画手段は、前記並び替えられる描画データに基づいて、前記所望のパターンを描画する。【００１６】
この態様によれば、以下に詳述するように、レーベル面に所望のパターンを描画するにあたり、描画品質を確保しつつも、描画時間の短縮が可能となる。【００１７】
先ず、この描画装置は、記録媒体（例えば、ＣＤ、ＤＶＤ、ＢＤ等の光ディスク）が備えるレーベル面（典型的には、光ディスクの表裏面のうち、記録面と反対側の面）に所望のパターン（例えば、所望の画像や所望の文字や所望の図形等）を入力手段（例えば、マウス、キーボード、タッチパネル等）を介して、ユーザから受け付ける等して描画するための描画処理を行う描画装置である。【００１８】
上述の所望のパターンは、描画手段（例えば、半導体レーザ素子、レンズ等を有する光ピックアップ）によってレーベル面にレーザ光が照射されることで、レーベル面に描画される。具体的には、描画手段は、レーベル面に沿って、例えば記録媒体の半径方向（言い換えれば、トラッキング方向）に移動可能である。そして、レーベル面には例えば色素膜等が塗布されており、レーザ光が照射された部分における色素膜の反射率と、レーザ光が照射されていない部分における色素膜の反射率とが相違することを利用して、レーベル面に所望のパターンが描画される。【００１９】
上述のように照射されるレーザ光の照射位置は、第１移動手段（例えば、ステッピングモータで駆動されるスレッド）によって、記録媒体の内周方向又は外周方向に沿って、第１距離を単位として（典型的には、描画手段ごと）移動させられる。ここで、照射位置とは、レーザ光が照射されてスポットが形成されている場合のスポットの位置のみならず、レーザ光が照射されていなくとも仮に照射されていればスポットが形成されているであると想定される位置も含まれる。第１距離は、例えば、300umであり、ステッピングモータの１ステップに相当する距離である。【００２０】
上述の照射位置は更に、第２移動手段（例えば、光ピックアップが備えるアクチュエータ）によって、記録媒体の内周方向又は外周方向に沿って、第１距離よりも短い第２距離を単位として（典型的には、描画手段が備えるレンズ等の光学系の再配置により）移動させられる。ここで、第２距離は、例えば、300um よりも短い30umであり、アクチュエータの分解能や、描画するトラックの間隔等に依存する距離である。【００２１】
つまり、記録媒体のレーベル面には半径情報の目安となるトラック等が存在しないので、上述の描画手段は、例えばレーベル面内周側のエンボスエリアに記録された情報から得られる半径位置を基点として、第１移動手段によって大まかに移動させられ、第２移動手段によって細かく移動させられる。【００２２】
このように描画手段が移動させられるのと同時に又は相前後して、並替手段（例えば、システムコントローラ及びメモリ）による並替処理が行われる。すなわち、少なくとも第2移動手段が照射位置を移動させる方向に応じて、所望のパターンを構成する複数トラック（例えば、レーベル面において同心円状、或いは螺旋状に配置される）の描画データ（例えば、ビットマップやベクトルデータ等の画像データ）が、トラック単位で並び替えられる。ここで「トラック単位で」とは、描画データのうち照射位置が移動させられる方向に応じて並び替えるべきは、各トラックの描画順序であり、各トラック内に属する描画データの並び替えまでは含まれない趣旨である。ただし、トラック間でのサーチ時間等の他の要因による場合にはこの限りでない。【００２３】
こうして並び替えられた描画データに基づいて、所望のパターンは、典型的には照射位置が第２移動手段により移動させられる度に、描画手段によって描画される。従って、第１移動手段や第２移動手段が移動させられる方向が内周方向又は外周方向の何れであっても或いは両方向が混在していても、所望のパターンを適切に描画可能である。言い換えれば、第２移動手段による移動を極力抑えることに主眼を置いて、内周から順に描画する事にとらわれず、1トラック毎に断続的に描画する事を利用して描画する順番を並び替える事で目標を実現する。【００２４】
仮に上述のような並替手段を備えないレーベル面への描画の場合であると、所望のパターンを内周方向又は外周方向のうち何れか一方向に沿って順序良く描画しようとするのが一般的である。例えば外周方向に沿って順序良く描画するには、上述の照射位置は、第１移動手段によって外周方向へ大まかに移動させられ、第２移動手段によって外周方向へ細かく移動させられる際にのみ所望のパターンを描画することとなる。このようにしてレーベル面全体に所望のパターンを描画するには、第２移動手段によって照射位置を内周方向（例えば、第２移動手段による可動範囲のうち最内周の位置まで）に戻さねばならない。ところが、この時に、照射位置を外周から内周に一気に移動させると、フィードバック制御がかかっていないので、描画手段（特に、レーザ光が通過するレンズ）が振られてしまい、描画品質低下の原因となり得る。仮に、このような描画品質の低下を回避するため、次の描画を開始するまでに描画手段を静定させるためのウエイト時間を入れると、第１又は第２移動手段による移動の度にウエイト時間が必要となり、光ディスク1枚を描画し切るのに例えば140回×300μsec=42sec程度かかってしまう。【００２５】
然るに、本発明の描画装置に係る実施形態によると、上述のような並替手段を備えるので、所望のパターンを内周方向及び外周方向の何れの方向に沿ってでも描画できる。例えば、第２移動手段によって照射位置を内周方向に戻す場合にも、この部分に該当するトラックの描画データを反対に並び替えて、描画できる。従って、ウエイト時間を大幅に削減して描画の高速化が可能となる。特に、ウエイト時間はどんな記録モードでも変わらない為、描画の設定により、2〜8%程度の時間短縮を見込める。加えて、照射位置の最大移動量が少なくなるので、仮に、ウエイト時間の設定が完全に静定するのに不足するような状況であっても揺れの大きさが抑制され、描画品質の低下が軽減される。【００２６】
以上みてきたように、本発明の描画装置に係る実施形態によれば、レーベル面に所望のパターンを描画するにあたり、描画品質を確保しつつも、描画時間を短縮可能となり、実践上非常に有効である。【００２７】
本発明の描画装置に係る実施形態の一の態様によると、前記第１移動手段が、前記照射位置を前記内周方向又は前記外周方向のうち何れか一方の方向（例えば、外周方向）に沿って移動させる場合、前記第２移動手段が、前記照射位置を他方の方向（例えば、内周方向）に沿って移動させる場合においても、前記描画手段は前記所望のパターンを描画する。【００２８】
この態様によれば、描画時間の短縮が可能となる。より詳しくは、レーベル面全体に所望のパターンを描画するには、第１及び第2移動手段による移動を繰り返し行う必要があり、それに伴い、一度第２移動手段によって外周方向に沿って移動させられた照射位置が、元の内周側へ戻すべく、内周方向に沿って移動させられることが多々ある。この場合においても、並替手段による並替処理が行われているので、描画手段は所望のパターンを描画できる。このようにして、描画を伴わない無駄な移動が低減されるので、描画時間を短縮可能となる。【００２９】
この態様によると、前記並替手段は、前記複数トラックのうち前記照射位置が前記第2移動手段によって前記他方の方向（例えば、内周方向）に沿って移動させられる場合に描画されるトラックを、前記何れか一方の方向（例えば、外周方向）に沿って移動させられる場合とは反対の順序で描画されるように、前記並替処理を行う。【００３０】
この態様によれば、照射位置が移動される方向が反対になれば、描画データも反対に並べ替えられるので、描画時間を短縮しつつ、描画順序の誤りを回避できる。【００３１】
本発明の描画装置に係る実施形態の他の態様によると、前記第１移動手段は多相（例えば、２相）ステッピングモータによって駆動される。【００３２】
この態様によれば、入力パルス数等に基づいて移動距離を管理できる多相ステッピングモータによって第１移動手段が駆動されるので、記録媒体のレーベル面に半径情報の目安となるトラック等が存在しない場合でも、移動精度が確保可能である。この際、２相ステッピングモータを２相駆動位置で駆動すれば、着磁力がその他の位置に比べて強いので、精度が向上する。その他の位置は、より分解能の高い第2駆動手段によって補間できるので、分解能の低下も回避できる。【００３３】
本発明の描画装置に係る実施形態の他の態様によると、前記並替手段は、前記第１移動手段が前記照射位置を移動させている間に、前記並替処理を行う。【００３４】
この態様によれば、描画時間の短縮が可能となる。より詳しくは、第１移動手段が照射位置を移動させている段階で、次に第２移動手段が照射位置を何れの方向に移動させるかが第２移動手段の状態（例えば、内周方向又は外周方向のうち何れの方向に移動したままであるかによって）に基づいて特定される。従って、その間に並替処理を行っておけば、描画時間の短縮が可能となる。なお、並替処理は、第２移動手段による移動の起点を受けたアプリケーション側で予め行われてもよい。【００３５】
（描画方法の実施形態）
本発明の描画方法に係る実施形態は、記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段とを備える描画装置における描画方法であって、前記所望のパターンを構成する複数トラックの描画データを、少なくとも前記第2移動手段が前記照射位置を移動させる方向に応じて並び替えるための並替処理を行う並替工程と、前記並び替えられる描画データに基づいて、前記所望のパターンを描画するように前記描画手段を制御する制御工程とを備える。【００３６】
本発明の描画方法に係る実施形態は、上述した本発明の描画装置に係る実施形態が享受することができる各種効果と同様の効果を享受することができる。【００３７】
尚、上述した本発明の描画装置に係る実施形態における各種態様に対応して、本発明の描画方法に係る実施形態も各種態様をとることができる。【００３８】
（コンピュータプログラムの実施形態）
本発明のコンピュータプログラムに係る実施形態は、記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段と、前記所望のパターンを構成する複数トラックの描画データを、少なくとも前記第2移動手段が前記照射位置を移動させる方向に応じて並び替えるための並替処理を行う並替手段とを備える描画装置に備えられたコンピュータを制御するコンピュータプログラムであって、前記コンピュータプログラムは、前記コンピュータを、少なくとも前記並替手段として機能させる。【００３９】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の描画装置に係る実施形態を比較的簡単に実現できる。【００４０】
尚、上述した本発明の描画装置に係る実施形態における各種態様に対応して、本発明のコンピュータプログラムに係る実施形態も各種態様を採ることが可能である。【００４１】
本発明のコンピュータプログラム製品に係る実施形態は、該コンピュータを、少なくとも前記並替手段として機能させる。【００４２】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の描画装置に係る実施形態を比較的容易に実施可能となる。更に具体的には、当該コンピュータプログラム製品は、上述した本発明の描画装置に係る実施形態として機能させるコンピュータ読取可能なコード（或いはコンピュータ読取可能な命令）から構成されてよい。【００４３】
尚、上述した本発明の描画装置に係る実施形態における各種態様に対応して、本発明のコンピュータプログラム製品に係る実施形態も各種態様を採ることが可能である。【００４４】
本実施形態のこのような作用及び他の利得は次に説明する実施例から更に明らかにされよう。【００４５】
以上説明したように、本発明の描画装置に係る実施形態によれば、描画手段と、第１移動手段と、第２移動手段と、並替手段とを備える。本発明の描画方法に係る実施形態によれば、並替工程と、制御工程とを備える。本発明のコンピュータプログラムに係る実施形態によれば、コンピュータを、少なくとも並替手段として機能させる。従って、レーベル面に所望のパターンを描画するにあたり、描画品質を確保しつつも、描画時間を短縮可能となる。
【実施例】
【００４６】
以下、本発明の実施例を図面に基づいて説明する。尚、以下の実施例では、本発明の描画装置等を、光ディスクの情報記録再生装置に適用した構成を用いて説明を進める。【００４７】
（１）  第1実施例
（１−１）  基本構成
初めに、図１及び図２を参照して、第１本実施例に係る情報記録再生装置及び該情報記録再生装置による動作の対象となる光ディスクの夫々の基本構成について説明を進める。ここに、図１は、第1実施例に係る記録再生装置の基本構成を概念的に示すブロック図であり、図２は、第1実施例に係る記録再生装置の動作の対象となる光ディスクの基本構成を示す平面図である。【００４８】
図１に示すように、本実施例に係る情報記録再生装置１は、スピンドルモータ１１と、光ピックアップ（ＯＰＵ：Optical Pick Up）ユニット１２と、光ピックアップ１３と、スレッド１４と、ステッピングモータ１５と、エンコーダ５１と、表示部４１と、入力部４２と、ＯＰＵコントローラ１６と、ステッピングコントローラ１７と、スピンドルコントローラ１８と、システムコントローラ３１と、メモリ３２とを備えている。【００４９】
スピンドルモータ１１は光ディスク１００を回転及び停止させるモータである。より詳細には、スピンドルモータ１１は、スピンドルコントローラ１８の制御下で、スピンドルサーボを受けつつ所定速度で光ディスク１００を回転及び停止させるように構成されている。【００５０】
光ピックアップユニット１２は、本発明における「描画手段」の一具体例を構成しており、光ピックアップ１３とスレッド１４とを保持する筐体である。【００５１】
スレッド１４は、本発明における「第１移動手段」の一具体例を構成しており、ステッピングモータ１５による駆動力を受けて、光ピックアップユニット１２と共に光ディスク１００の半径方向に移動する。【００５２】
光ピックアップ１３は、光ディスク１００に対するデータの記録及び再生を行うために、例えば図示しない半導体レーザ素子、コリメータレンズ、受光素子、対物レンズ、及び対物レンズのレンズホルダを複数軸について揺動可能なアクチュエータ１３１等から構成される。ここで、アクチュエータ１３１は、本発明における「第２移動手段」の一具体例を構成している。光ピックアップ１３は、ステッピングモータ１５によるスレッド１４の移動により、光ディスク１００の半径方向における位置が調整され、更に光ピックアップユニット１２内に設けられるアクチュエータ１３１によりその位置が細かく調整される。つまり、ステッピングモータ１５によるスレッド１４の移動により、光ピックアップ１３の位置が決定され、その後、より高い分解能で可動できるアクチュエータ１３１によりレーザ光ＬＢの照射位置が決定される。この際、スレッド１４の移動精度を高める為に、着磁力の高い2相移動位置のみを使用して移動を行うとよい。そして、光ピックアップ１３は、光ディスク１００に対してレーザ光ＬＢを、再生時には読み取り光として第１のパワーで照射し、記録時には書き込み光として第２のパワーで且つ変調させながら照射する。加えて、光ピックアップ１３は、光ディスク１００に対するレーベル描画を行う際に、光ディスク１００に対してレーザ光ＬＢを照射する。【００５３】
ステッピングモータ１５は、スレッド１４と共に本発明における「第１移動手ｓ段」の一具体例を構成しており、ステッピングコントローラ１７により印加される電圧に応じて、スレッド１４を光ディスク１００の半径方向に沿って移動させる。【００５４】
エンコーダ５１は、エンコーダコントローラ５２の制御下で、光ディスク１００の特徴データ記録エリア１２１（図２を参照）に対してレーザ光を照射すると共に、その反射光を受光素子により受光することにより、光ディスク１００の速度情報や角度情報を取得する。【００５５】
表示部４１は、例えば液晶ディスプレイ或いはプラズマディスプレイ等を有し、レーベル描画を行う際のユーザインターフェースとして機能する。【００５６】
入力部４２は、例えばキーボード、マウス、或いは表示部４１と一体化したタブレット型ディスプレイであり、ユーザから所望のパターンを形成するための情報（例えば、文字・コマンド・座標情報）等の各種入力を受付る。受け付けられた入力は、データバス２１を介して、システムコントローラ３１に伝達され、その内容に応じて、表示部４１に表示されている所望のパターンが変更され、或いは当該情報記録再生装置１により所定の動作処理が行われる。【００５７】
ＯＰＵコントローラ１６は、例えばレーザダイオードドライバ等を備えており、光ピックアップ１３によるレーザ光ＬＢの照射動作を制御する。具体的には、ＯＰＵコントローラ１６は、システムコントローラ３１による制御の下に、ステッピングコントローラ１７、スピンドルコントローラ１８、エンコーダコントローラ５２と協働しながら、レーザ光ＬＢのパワーや照射タイミング、照射位置等（言い換えれば、光ピックアップ１３の動作）を制御する。【００５８】
ステッピングコントローラ１７は、ステッピングモータ１５に印加するべき電圧を制御することで、ステッピングモータ１５によるスレッド１４の移動量を制御する。具体的には、ステッピングコントローラ１７は、システムコントローラ３１による制御の下に、ＯＰＵコントローラ１６やスピンドルコントローラ１８と協働しながら、スレッド１４の移動量（言い換えれば、ステッピングモータ１５の動作）を制御する。【００５９】
スピンドルコントローラ１８は、スピンドルモータ１１による光ディスク１００の回転を制御する。具体的には、スピンドルコントローラ１８は、システムコントローラ３１による制御の下に、ＯＰＵコントローラ１６やステッピングコントローラ１７と協働しながら、光ディスク１００の回転速度や回転角度等（言い換えれば、スピンドルモータ１１の動作）を制御する。【００６０】
システムコントローラ３１は、本発明における「並替手段」の一具体例を構成しており、表示部４１、入力部４２、ＯＰＵコントローラ１６、ステッピングコントローラ１７、スピンドルコントローラ１８及びメモリ３２と、データバス２１を介して接続され、ＯＰＵコントローラ１６、ステッピングコントローラ１７及びスピンドルコントローラ１８の夫々に対して制御コマンドを出力することで、情報記録再生装置１全体の制御を行う。また、システムコントローラ３１は、入力部４２からの入力情報に基づく動画像（特に、所望のパターン）を表示部４１に表示させると共に、その入力情報を適宜メモリ３２に格納する。通常、システムコントローラ３１が動作するためのソフトウェア又はファームウェアは、メモリ３２に格納されている。【００６１】
メモリ３２は、情報記録再生装置１が動作するためのプログラム（即ち、ファームウェア）が格納されるＲＯＭ領域と、情報記録再生装置１による動作中に用いられるデータが一時的に格納されるＲＡＭ領域などから構成される。【００６２】
尚、本実施例に係る記録再生装置の動作の対象となる光ディスク１００は、例えば、図１及び図２に示すように、ＤＶＤと同じく円形状の形状を有しており、一方の側にデータ記録層１１０が積層されており、他方の側にレーベル層１２０が積層されている。データ記録層１１０に対しては、図１中の下側からレーザ光ＬＢが照射されることで、データの記録及び再生が行われる。他方で、レーベル層１２０に対しては、図１中の上側から（実際には、光ディスク１００を裏返して図１中の下側から）レーザ光ＬＢが照射されることで、レーベルの描画が行われる。【００６３】
光ディスク１００のデータ記録層１１０は、例えばレーザ光ＬＢの照射により特性（例えば、反射特性）が変わる色素膜や相変化膜により構成されている。データ記録層１１０には、センターホール１３０（図２参照）を中心として、リードインエリア、ユーザデータエリア及びリードアウトエリアが設けられている。そして、データ記録層１１０には、例えば、センターホール１３０を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、データをエラー訂正可能なデータ管理単位である。【００６４】
他方で、光ディスク１００のレーベル層１２０は、例えばレーザ光ＬＢの照射により特性（例えば、反射特性）が変わる色素膜により構成されている。レーベル層１２０には、上述したトラックが設けられていないが、トラックが設けられていてもよい。レーベル層１２０には特に、最内周側に特徴データ記録エリア１２１が設けられており、レーベル（つまり、本発明における「所望のパターン」の一具体例）の描画が実際に行われるレーベルエリア１２２が該特徴データ記録エリア１２１の外周側に設けられている。【００６５】
特徴データ記録エリア１２１には、図２の下側に示す特徴データ記録エリア１２１の拡大図に示すように、高い光反射率を有する矩形パターンとこの高い光反射率を有する矩形パターンと同一のサイズを有し且つ低い光反射率を有する矩形パターンとが規則的に配列されてなるパターン１２１１が形成されている。このパターン１２１１は、エンコーダ５１により読み取られる。このパターン１２１１により、情報記録再生装置１は、レーベルエリア１２２へのレーベル描画時に、光ディスク１００の速度（具体的には、角速度又は回転速度）に関する情報を取得することができる。これにより、情報記録再生装置１は、レーベルエリア１２２へのレーベル描画時における光ディスク１００の速度を調整又は認識することができる。【００６６】
また、特徴データ記録エリア１２１には、図２の下側に示す特徴データ記録エリア１２１の拡大図に示すように、高い光反射率を有する矩形パターンと低い反射率を有する矩形パターンとが不規則的に配列されてなるパターン１２１２が形成されている。特に、高い光反射率を有する矩形パターンと低い反射率を有する矩形パターンとの夫々は、夫々の矩形パターンが形成される位置に応じて様々なサイズを有している。このパターン１２１２により、情報記録再生装置１は、回転中の光ディスク１００の角度方向（即ち、光ディスク１００の中心からディスクの周囲の所定の点に向かって伸張する線がどの方向を指すか）に関する情報を取得することができる。これにより、情報記録再生装置１は、レーベルエリア１２２へのレーベル描画時における光ディスク１００の角度を調整又は認識することができる。【００６７】
また、特徴データ記録エリア１２１には、図２の下側に示す特徴データ記録エリア１２１の拡大図に示すように、高い光反射率を有する鋸歯パターンと、高い光反射率を有する鋸歯パターンとは逆向きに配置され且つ低い光反射率を有する矩形パターンとが規則的に配列されてなるパターン１２１３が形成されている。このパターン１２１３により、情報記録再生装置１は、光ディスク１００の半径方向における光ピックアップ１３の位置を高精度に調整することができる。言い換えれば、アクチュエータ１３１による光ピックアップ１３のトラッキング精度を調整することができる。【００６８】
より具体的には、パターン１２１３に照射されるレーザ光ＬＢの反射光のデューティー比により、光ピックアップユニット１２のトラッキング精度を調整することができる。アクチュエータ１３１に所定の電圧を印加したとき、デューティー比が５０％となる位置（つまり、パターン１２１３の半径方向における中心位置）からの光ピックアップ１３の移動量が、デューティー比に基づいて検出される。この動作を、アクチュエータ１３１に印加する電圧を変化させながら繰り返す。これにより、アクチュエータ１３１に印加する電圧と、光ピックアップ１３の移動量との相関関係を取得することができる。以後は、取得された相関関係を用いて、レーベルエリア１２２へのレーベル描画時に、光ピックアップ１３の位置が調整される。【００６９】
尚、相対的に内周側に形成されるパターン１２１１をインナーリングと称し、該インナーリングは、例えば、光ディスク１００上での半径位置が１９．００ｍｍから２１．１５ｍｍの間のエリアに形成されている。他方、相対的に外周側に形成されるパターン１２１２及び１２１３をアウターリングと称し、該アウターリングは、例えば、光ディスク１００上での半径位置が２１．１５ｍｍから２１．８０ｍｍの間のエリアに形成されている。そして、特徴データ記録エリア１２１に形成される各パターンは、レーベルエリア１２２にレーベルを描画している間に情報記録再生装置１により読み取られるように構成してもよいし、レーベルエリア１２２にレーベルを描画する前に読み取られるように構成してもよい。またこれらの各パターンは、シルクスクリーン印刷法により形成されてもよいし、或いは他の方法で形成されてもよい。【００７０】
レーベルエリア１２２には、図２の上側に示すように、ユーザの所望のレーベル（例えば、文字や図形や画像等）を描画することができる。この所望のレーベルは、レーザ光ＬＢが照射される微小領域における光の反射率と、レーザ光ＬＢが照射されない微小領域における光の反射率との差を利用して、いわゆるモノクロパターンとして描画される。【００７１】
（１−２）動作原理
続いて、図３から図６を参照して、本実施例に係る情報記録再生装置１による動作（特に、レーベル層１２０への描画動作）について説明する。【００７２】
先ず、図１から図２に加え、図３を参照してレーベル描画の具体的な動作処理について説明する。ここに、図３は、第1実施例に係る描画処理の流れを概念的に示すフローチャートである。【００７３】
図３において、初めに、システムコントローラ３１の制御の下に、情報記録再生装置１にローディングされた光ディスクが、情報記録再生装置１によりレーベル描画可能な光ディスク１００であるか否か（つまり、上述した本実施例に係る光ディスク１００であるか否か）が判定される（ステップＳ５０１）。【００７４】
ステップＳ５０１における判定の結果、情報記録再生装置１にローディングされた光ディスクが、情報記録再生装置１によりレーベル描画可能な光ディスク１００でないと判定された場合には（ステップＳ５０１：Ｎｏ）、以下に説明するステップＳ５０２からステップＳ５０７に係る動作は行われず、ローディングされた光ディスクに応じた動作が行われる（ステップＳ１０８）。【００７５】
他方、ステップＳ５０１における判定の結果、情報記録再生装置１にローディングされた光ディスクが、情報記録再生装置１によりレーベル描画可能な光ディスク１００であると判定された場合には（ステップＳ５０１：Ｙｅｓ）、続いて、スピンドルコントローラ１８の制御の下に、スピンドルモータ１１がロックされる（ステップＳ５０２）。具体的には、上述したパターン１２１１を含むインナーリングが読み取られ、該読取結果に応じて、スピンドルモータ１１の回転速度（言い換えれば、光ディスク１００の回転速度）が調整される。以降は、スピンドルモータ１１の回転速度は、一定に維持される。【００７６】
続いて、上述したパターン１２１２及び１２１３を含むアウターリングがサーチされた後（ステップＳ５０３）、フォーカスサーボがＯＮとなる（ステップＳ５０４）。【００７７】
その後、ステップＳ５０３においてサーチされたアウターリングを用いて、トラッキング精度の調整が行われる（ステップＳ５０５）。【００７８】
その後、レーベルエリア１２２に対する所望のレーベルの描画を開始する位置であるトラック０がサーチされる（ステップＳ５０６）。レーベル層１２０には物理的なトラックが存在していないため、このトラック０は仮想的なトラックであるが、例えば、光ディスク１００上での半径位置が２３．８０±０．０３ｍｍの位置に存在する。【００７９】
その後、本実施例に係る並替処理を含む移動描画処理によって、レーベルエリア１２２に対する所望のレーベルの描画が行われる（ステップＳ５０７）。【００８０】
ここで、上述の移動描画処理について、図４から図６を参照して比較例と本実施例とを対比しつつ、説明を加える。ここに、図４は、描画処理中の移動描画処理の流れを概念的に示すフローチャートである（ａ：比較例、ｂ：第１実施例）。図５は、移動描画処理における描画位置及び順序を模式的に示す模式図である（ａ：比較例、ｂ：第１実施例）。図６は、移動描画処理におけるアクチュエータの位置及び順序を模式的に示す模式図である（ａ：比較例、ｂ：第１実施例）。
ここで、レーザ光ＬＢの照射位置に関して、スレッド１４による移動の単位距離（つまり、ステッピングモータ１５の１ステップに相当する距離）をｄ１（例えば、300um）とし、アクチュエータ１３１による移動の単位距離をｄ２（例えば、30um）とし、光ディスク１００の半径方向においてスレッド１４の移動順序をｔｎ（ｎ＝１，２，３……）とし、光ディスク１００の半径方向においてアクチュエータ１３１の移動順序をａｎ（ｎ＝１，２，３……）とする。また、図５（ａ）、（ｂ）、及び図６（ａ）、（ｂ）に示す比較例及び第１実施例のいずれにおいても、基本的には、ステッピングモータ１５によるスレッド１４の移動により、光ピックアップ１３の位置が決定され（例えば、ｔ１）、その後、より高い分解能（つまり、ｄ１＞ｄ２）で可動できるアクチュエータ１３１によりレーザ光ＬＢの照射位置が決定される（例えば、ａ１、ａ２、ａ３……）。比較例と第１実施例とで主に異なるのは、以下に詳述するように、アクチュエータ１３１の移動順序や移動方向である。【００８１】
図４（ａ）、図５（ａ）及び図６（ａ）に示す比較例において、移動描画処理が以下のように行われる。例えば、光ピックアップ１３の位置がｔ１にある場合、アクチュエータ１３１の外周方向への移動によりレーザ光ＬＢの照射位置がａ１、ａ２、ａ３……ａ９の順に送られ、各照射位置でレーザ光ＬＢが描画データに基づいて照射される（ステップＳ１３）。続いて、スレッド１４の外周方向への移動により、光ピックアップ１３の位置がｔ２に移動する（ステップＳ１１）。ここで特に、内周から外周へ順序良く描画するために、アクチュエータ１３１が一旦内周へ戻る（ステップＳ１２）。それから、アクチュエータ１３１の外周方向への移動によりレーザ光ＬＢの照射位置がａ１０、ａ１１、ａ１２……ａ１８の順に送られ、各照射位置でレーザ光ＬＢが描画データに基づいて照射される（ステップＳ１３）。後は、光ピックアップ１３の位置がｔ３の場合もｔ２の場合と同様であり、この一連の処理が、最外周へ移動するまで、或いは描画し終えるまで続く。【００８２】
他方で、図４（ｂ）、図５（ｂ）及び図６（ｂ）に示す第１実施例において、移動描画処理が以下のように行われる。例えば、光ピックアップ１３の位置がｔ１にある場合、アクチュエータ１３１の外周方向への移動によりレーザ光ＬＢの照射位置がａ１、ａ２、ａ３……ａ９の順に送られ、各照射位置でレーザ光ＬＢが描画データに基づいて照射される（ステップＳ２３）。ここまでは比較例と同様である。しかしながら、第１実施例では特に、同じ所望のパターンが描画できるのであれば必ずしも内周から外周へ順序良く描画する必要はないとの趣旨により、外周方向へ移動しながらの描画と内周方向へ移動しながらの描画との混在を許容する。そのため、並替処理が行われる。即ち、スレッド１４の外周方向への移動により、光ピックアップ１３の位置がｔ２に移動すると共に、外周方向へ描画するように並べられたデータが、内周方向（つまり、ａ１０、ａ１１、ａ１２……ａ１８の順）へ描画するように並び替えられる（ステップＳ２１）。より詳しくは、通常、数十トラック分のデータをドライブ（情報記録再生装置１）のバッファ（メモリ３２）に格納しているため、ドライブ内でアクチュエータ１３１の制御に合わせてデータのトラック順を並び替えする事で、変わらずに所望のパターンを描画可能となる。また、アクチュエータ１３１動作の起点を情報記録再生装置１外のアプリケーションに返しておけば、アプリケーション側で描画半径位置と描画データをドライブの動作タイミングに合わせて転送する事で、同様の動作が可能となる。このように、描画データが並び替えられると、続いて、アクチュエータ１３１の内周方向への移動によりレーザ光ＬＢの照射位置がａ１０、ａ１１、ａ１２……ａ１８の順に送られ、各照射位置でレーザ光ＬＢが描画データに基づいて照射される（ステップＳ２３）。後は、光ピックアップ１３の位置がｔ３の場合もｔ２の場合と同様であり、この一連の処理が、最外周へ移動するまで、或いは描画し終えるまで続く。より具体的には、30umを1トラックとした場合、レンズ位置を内周150umに送り、そこから30umずつアクチュエーターで移動させ、300um移動して外周150um位置にレンズが移動したら、スレッドを300um移動させ、再びレンズ位置を内周150umに送り、再び描画を行う。【００８３】
以上説明したように、第１実施例は比較例とは異なり、アクチュエータ１３１がレーザ光ＬＢの照射を伴わずに内周へ戻ることはない。つまり、所望のパターンを描画するにあたっては、必ずしも内周から外周へ順序良く描画する必要はないことに着目し、第１実施例ではデータを適宜並び替えることで、無駄な動きを極力減らしている。その結果、以下のような効果が得られる。【００８４】
先ず第一に、アクチュエータ１３１の最大移動量が少なくなるので、ウエイト時間を大幅に削減して高速化できる。例えば、アクチュエーターの大きな移動を無くす事が出来るので、ウエイト時間を例として50μsec程度に出来るため、140回×250μsec=35sec程度描画時間の高速化をする事が出来る。特に、ウエイト時間はどんな記録モードでも変わらない為、描画の設定により、2〜8%程度の時間短縮を見込める。第二に、アクチュエータ１３１の最大移動量が少なくなるので、完全に静定するのに足らないウエイト時間でも揺れの大きさが抑制されて描画品質の低下が軽減される。第三に、アクチュエータ１３１の移動方向と描画データの並びを変えるだけなので、アプリケーション側の対応を必要とせず、ドライブ（即ち、情報記録再生装置１）内の処理で実現が可能である。要するに、比較的簡便な構成ながらも、描画精度を確保しつつ、描画時間を短縮出来るのである。【００８５】
また、上述の実施例では、ライトスクライブ技術を想定して説明したが、レーベルの描画をするための他の技術（例えば、レーベルフラッシュ、ＤｉｓｃＴ＠２）等の各種用途において、上述した構成を採用することで、上述した効果を享受することができることは言うまでもない。【００８６】
本発明は、上述した実施例に限られるものではなく、請求の範囲及び明細書全体から読み取れる発明の要旨或いは思想に反しない範囲で適宜変更可能であり、そのような変更を伴なう描画装置及び方法、並びにコンピュータプログラムもまた本発明の技術的範囲に含まれるものである。
【産業上の利用可能性】
【００８７】
本発明に係る描画装置及び方法、並びにコンピュータプログラムは、例えばＤＶＤ等の記録媒体のレーベル面に対して文字や図形や画像等のパターンを描画可能なＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2008072341.tif 000003
【図２】
2008072341.tif 000004
【図３】
2008072341.tif 000005
【図４】
2008072341.tif 000006
【図５】
2008072341.tif 000007
【図６】
2008072341.tif 000008
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
記録媒体が備えるレーベル面にレーザ光を照射することで、所望のパターンを前記レーベル面に描画する描画手段と、
前記照射されるレーザ光の照射位置を前記記録媒体の内周方向又は外周方向に沿って、第１距離を単位として移動させる第１移動手段と、
前記照射位置を前記内周方向又は前記外周方向に沿って、前記第１距離よりも短い第２距離を単位として移動させる第２移動手段と、
前記所望のパターンを構成する複数トラックの描画データを、少なくとも前記第2移動手段が前記照射位置を移動させる方向に応じてトラック単位で並び替えるための並替処理を行う並替手段とを備え、
前記描画手段は、前記並び替えられる描画データに基づいて、前記所望のパターンを描画する
ことを特徴とする描画装置。
【請求項２】
前記第１移動手段が、前記照射位置を前記内周方向又は前記外周方向のうち何れか一方の方向に沿って移動させる場合、
前記第２移動手段が、前記照射位置を他方の方向に沿って移動させる場合においても、前記描画手段は前記所望のパターンを描画する
ことを特徴とする請求項１に記載の描画装置。
【請求項３】
前記並替手段は、前記複数トラックのうち前記照射位置が前記第2移動手段によって前記他方の方向に沿って移動させられる場合に描画されるトラックを、前記何れか一方の方向に沿って移動させられる場合とは反対の順序で描画されるように、前記並替処理を行う
ことを特徴とする請求項２に記載の描画装置。
【請求項４】
前記第１移動手段は多相ステッピングモータによって駆動される
ことを特徴とする請求項１に記載の描画装置。
【請求項５】
前記並替手段は、前記第１移動手段が前記照射位置を移動させている間に、前記並替処理を行う
ことを特徴とする請求項１に記載の描画装置。
【請求項６】
記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段とを備える描画装置における描画方法であって、
前記所望のパターンを構成する複数トラックの描画データを、少なくとも前記第2移動手段が前記照射位置を移動させる方向に応じて並び替えるための並替処理を行う並替工程と、
前記並び替えられる描画データに基づいて、前記所望のパターンを描画するように前記描画手段を制御する制御工程と
を備えることを特徴とする描画方法。
【請求項７】
記録媒体が備えるレーベル面にレーザ光を照射することで、所望のパターンを前記レーベル面に描画する描画手段と、前記照射されるレーザ光の照射位置を前記記録媒体の内周方向又は外周方向に沿って、第１距離を単位として移動させる第１移動手段と、前記照射位置を前記内周方向又は前記外周方向に沿って、前記第１距離よりも短い第２距離を単位として移動させる第２移動手段と、前記所望のパターンを構成する複数トラックの描画データを、少なくとも前記第2移動手段が前記照射位置を移動させる方向に応じて並び替えるための並替処理を行う並替手段とを備える描画装置に備えられたコンピュータを制御するコンピュータプログラムであって、
前記コンピュータプログラムは、前記コンピュータを、少なくとも前記並替手段として機能させることを特徴とするコンピュータプログラム。
【国際調査報告】
2008072341.tif 000009
2008072341.tif 000010